(57)【特許請求の範囲】
【請求項１】
エンジンと、該エンジンの動力によって駆動される空調用のコンプレッサと、該エンジンと該コンプレッサとの間の動力伝達経路を接続、遮断する電磁クラッチと、を備え、該電磁クラッチに対して空調要求に応じて該電磁クラッチを接続させるオン指令信号もしくは該電磁クラッチを遮断させるオフ指令信号を出力するようにしたエンジンの制御装置であって、
前記コンプレッサの回転数を検出する回転数検出手段と、
前記電磁クラッチを切断させるオフ指令信号出力から実際に電磁クラッチが切断されるまでの応答遅れ時間を、前記回転数検出手段で検出されるコンプレッサの回転数が高くなるほど長い時間として推定する応答遅れ時間推定手段と、
前記オフ指令信号出力時点から、前記応答遅れ時間推定手段で推定された応答遅れ時間が経過した時点で初めて、エンジン発生トルクの低下措置を行うことによりトルク変動を抑制するトルク調整手段と、
を備え、
前記トルク調整手段が、前記エンジン発生トルクの低下措置を行うこととして、点火時期を遅角させることを用いている、
ことを特徴とするエンジンの制御装置。
【請求項２】
請求項１において、
前記コンプレッサにより圧縮される冷媒の圧力を検出する圧力検出手段をさらに備え、
前記応答遅れ時間推定手段による応答遅れ時間の推定が、前記冷媒圧検出手段で検出される冷媒の圧力が高いほど長い時間となるように推定する、
ことを特徴とするエンジンの制御装置。
【請求項３】
請求項１または請求項２において、
前記オフ指令信号の出力に先だって、あらかじめ充填量を徐々に低減させつつ点火時期を徐々に進角させる前準備の制御が行われ、該前準備の制御後に該オフ指令信号が出力される、ことを特徴とするエンジンの制御装置。
【請求項４】
請求項３において、
パニックブレーキ時であることを検出するパニックブレーキ検出手段をさらに備え、
前記パニックブレーキ検出手段でパニックブレーキ時であることが検出されたときは、前記前準備の制御が禁止されて、ただちに前記オフ指令信号が出力される、ことを特徴とするエンジンの制御装置。
【発明の詳細な説明】
【技術分野】
【０００１】
本発明は、エンジンの制御装置に関するものである。
【背景技術】
【０００２】
車両の空調装置にあっては、空調風を冷やすために、熱交換器としてのエバポレータを有している。このエバポレータを流通される冷媒の圧縮のためにコンプレッサが用いられるが、コンプレッサはエンジンによって駆動されるのが一般的である。そして、エバポレータの温度調整や空調要求に応じてコンプレッサを適宜停止させるために、エンジンとコンプレッサとの駆動伝達経路に電磁クラッチ（マグネットクラッチと呼ばれることもある）を介在させることも一般的に行われている。
【０００３】
コンプレッサは、エンジンにとって大きな負荷となる。このため、特許文献１には、大きなエンジン負荷を必要とするときに、コンプレッサを停止させて、走行のためのエンジントルクを実質的に上昇させることが開示されている。
【先行技術文献】
【特許文献】
【０００４】
【特許文献１】特開平１１−２４５６５６号公報
【発明の概要】
【発明が解決しようとする課題】
【０００５】
前述したように、コンプレッサはエンジンにとって大きな負荷となるため、コンプレッサを停止させるために電磁クラッチをオフ（切断）したときに、コンプレッサの負荷解放に伴ってエンジントルクが一時的に上昇するトルクショックを生じることになる。特に、エバポレータの温度が所定温度範囲となるように制御するために、電磁クラッチのオフ（切断）とオン（接続）とが頻繁に繰り返されることも多いことから、上記トルクショックが生じる機会が多いものとなる。
【０００６】
本発明は以上のような事情を勘案してなされたもので、その目的は、エンジンとコンプレッサとの間に介在された電磁クラッチがオフされた際のトルクショックを効果的に防止できるようにしたエンジンの制御装置を提供することにある。
【課題を解決するための手段】
【０００７】
前記目的を達成するため、本発明にあっては、次のような解決手法を採択してある。すなわち、請求項１に記載のように、
エンジンと、該エンジンの動力によって駆動される空調用のコンプレッサと、該エンジンと該コンプレッサとの間の動力伝達経路を接続、遮断する電磁クラッチと、を備え、該電磁クラッチに対して空調要求に応じて該電磁クラッチを接続させるオン指令信号もしくは該電磁クラッチを遮断させるオフ指令信号を出力するようにしたエンジンの制御装置であって、
前記コンプレッサの回転数を検出する回転数検出手段と、
前記電磁クラッチを切断させるオフ指令信号出力から実際に電磁クラッチが切断されるまでの応答遅れ時間を、前記回転数検出手段で検出されるコンプレッサの回転数が高くなるほど長い時間として推定する応答遅れ時間推定手段と、
前記オフ指令信号出力時点から、前記応答遅れ時間推定手段で推定された応答遅れ時間が経過した時点で初めて、エンジン発生トルクの低下措置を行うことによりトルク変動を抑制するトルク調整手段と、
を備え、
前記トルク調整手段が、前記エンジン発生トルクの低下措置を行うこととして、点火時期を遅角させることを用いている、
ようにしてある。上記解決手法によれば、電磁クラッチがオフされたときの一時的なエンジントルクの上昇を点火時期を遅角させることにより抑制して、トルクショックを防止することができる．特に、電磁クラッチへのオフ指令信号出力から実際に電磁クラッチがオフされるまでの応答遅れ時間がコンプレッサ回転数に応じて変化することに対応して、この応答遅れ時間が経過した適切なタイミングで点火時期を遅角するので、トルクショックを効果的に防止することができる。
【０００８】
上記解決手法を前提とした好ましい態様は、特許請求の範囲における請求項２以下に記載のとおりである。すなわち、
前記コンプレッサにより圧縮される冷媒の圧力を検出する圧力検出手段をさらに備え、
前記応答遅れ時間推定手段による応答遅れ時間の推定が、前記冷媒圧検出手段で検出される冷媒の圧力が高いほど長い時間となるように推定する、
ようにしてある（請求項２対応）。この場合、応答遅れ時間が冷媒圧にも応じて変化することに対応して、トルクショックをより十分に防止する上で好ましいものとなる。
【０００９】
前記オフ指令信号の出力に先だって、あらかじめ充填量を徐々に低減させつつ点火時期を徐々に進角させる前準備の制御が行われ、該前準備の制御後に該オフ指令信号が出力される、ようにしてある（請求項３対応）。この場合、後の点火時期の遅角を見込んであらかじめ点火時期を進角させておくと共に、この進角に伴うエンジントルク増加を充填量を低減することにより抑制させる前準備の制御を行うことにより、点火時期を基準値から遅角させることなくトルクショック防止のための点火時期の遅角を行うことができ、燃費悪化を防止する上で好ましいものとなる。
【００１０】
パニックブレーキ時であることを検出するパニックブレーキ検出手段をさらに備え、
前記パニックブレーキ検出手段でパニックブレーキ時であることが検出されたときは、前記前準備の制御が禁止されて、ただちに前記オフ指令信号が出力される、ようにしてある（請求項４対応）。この場合、パニックブレーキ時にはエンストの問題を生じやすいが、このときは前準備の制御を行うことなく直ちに電磁クラッチのオフ指令信号を出力するようにして、エンスト防止の上で好ましいものとなる。
【発明の効果】
【００１１】
本発明によれば、電磁クラッチをオフすることに伴うトルクショックを防止することができる。
【図面の簡単な説明】
【００１２】
【図１】エンジンの冷却水通路と冷媒通路とを空調装置との関係で示す系統図。
【図２】本発明の制御系統例をブロック図的に示す図。
【図３】コンプレッサ回転数と応答遅れ時間との関係を示す特性図。
【図４】冷媒圧と応答遅れ時間との関係を示す特性図。
【図５】本発明の第１の制御例を示すタイムチャート。
【図６】図５の制御を行うためのフローチャート。
【図７】本発明の第２の制御例を示すタイムチャート。
【図８】図７の制御を行うためのフローチャート。
【発明を実施するための形態】
【００１３】
図１は、エンジンＥの冷却水通路と冷媒通路とを空調装置Ｋとの関係で示す系統図である。まず、空調装置Ｋについて簡単に説明する。１は空調通路で、この空調通路１には、その上流側から下流側へ順次、ブロア２、エアフィルタ３、エバポレータ４、ヒータコア５が配設されている。ブロア１の上流側に、切換ダンパ６が配設されると共に、車室内から延びる内気循環用の通路９が開口されている。切換ダンパ６によって、空調通路１に対する外気導入と内気導入とが切換えられる。
【００１４】
空調通路１内には、エバポレータ３の下流側でかつヒータコア４の上流側において、エアミックスダンパ７が配設されている。このエアミックスダンパ７により、エバポレータ３を通過した後の空調風について、ヒータコア４を通過する割合とヒータコア４をバイパスする割合とが変更されて、車室内へ吹き出される空調風の温度調整が行われる。空調通路１には、ヒータコア４およびエアミックスダンパ７の下流側において、車室内に連なる吹出口８が連なっている。なお、図１では、吹出口８は簡略化のために１つのみ示されるが、実際には、足下用、顔用、デフロスタ用等、複数設けられているものである。以上のような空調装置Ｋそのものは既知なので、これ以上の説明は省略する。
【００１５】
次に、エバポレータ４に対する冷媒の循環経路について説明する。まず、コンプレッサ２０の回転軸に取付けたプーリ２１と、エンジンＥ（のクランク軸）に取付けたプーリ２２との間にベルト２３が巻回されて、エンジンＥによってコンプレッサ２０が機械的に回転駆動される。コンプレッサ２０によって圧縮された冷媒が、配管２４を経てエバポレータ４に供給される。この配管２４には、コンプレッサ２０側からエバポレータ４側へ向けて順次、コンデンサ２５、ドライヤ（乾燥器）２６、冷媒圧センサ２７、エキスパンションバルブ２８が接続されている。エバポレータ４を通過した冷媒は、配管２９を経て、コンプレッサ２０に戻される。なお、エバポレータ４には、その温度を検出する温度センサ３２が設けられている。
【００１６】
コンプレッサ２０により圧縮されて高温、高圧の液化された冷媒は、コンデンサ２５により冷却された後、ドライヤ２６で乾燥され、その後、エキスパンションバルブ２８によって気化、霧化されて低温、低圧の状態でエバポレータ４に導入される。エバポレータ４によって空調風を冷却することにより温度上昇された冷媒は、配管２９を経てコンプレッサ２０に戻り、上記の作用が繰り返されることになる。
【００１７】
上記コンプレッサ２０は、その回転軸に取付けられたプーリ２１が、電磁クラッチ（マグネットクラッチ）３０を内蔵したものとされている。この電磁クラッチ３０は、消磁時にオフ（切断）されて、エンジンＥとコンプレッサ２０との間の動力伝達をカットする。電磁クラッチ３０を励磁することによりオン（接続）されて、エンジンＥによりコンプレッサ２０が駆動される。電磁クラッチ３０の消磁と励磁とを切換えるために、その電力供給経路にリレースイッチ３１が接続され、このリレースイッチ３１が後述するコントローラＰＣＭによって制御される。
【００１８】
次に、ヒータコア５に対する冷却水の循環経路について説明する。まず、エンジンＥには、そのクランク軸方向に隔置して冷却水の流入口４１と流出口４２とが設けられる。エンジン冷却用として、流入口４１と流出口４２とを接続する環状の循環通路４３が設けられる。循環通路４３には、流入口４１付近において、エンジンＥによって機械的に駆動されるウオータポンプ４４が設けられている。ウオータポンプ４４が駆動されることにより、冷却水が、順次、流入口４１、エンジン内部（の冷却水通路）、流出口４２、循環通路４３を通って、再び流入口４１へと流れることになる。
【００１９】
循環通路４３に対して、ラジエタ４５が接続される。すなわち、流出口４２付近の循環通路４３に対して、ラジエタ４５用の流入側通路４６と流出側通路４７とが接続されている。流出側通路４７には、循環通路４３付近においてサーモスタットバルブ４８が接続されている。サーモスタットバルブ４８は、常時は閉弁されていて、流出口４２付近の冷却水温度が所定温度以上の高温になると開弁される。サーモスタットバルブ４８が開弁されることにより、冷却水（の一部）がラジエタ４５を流れて、冷却されることになる。なお、ラジエタ４５は、コンデンサ２５と共に、冷却ファン冷却ファン４９によって冷却される（外気との熱交換）。また、図１中、５０は冷却水温度を検出する水温センサである。
【００２０】
循環通路４３を流れる高温の冷却水の一部は、供給通路５１を介してヒータコア５に導入される。そして、ヒータコア５を通過した冷却水は、戻り通路５２を介して循環通路４３へ戻される。供給通路５１には、アイドルストップ時を前提として駆動される電動ポンプ５３が接続されている。この電動ポンプ５３は、停止時でも冷却水の流れを許容するものとなっている。そして、暖房時に、アイドルストップによりエンジンＥが自動停止された際に、電動ポンプ５３が駆動される。すなわち、アイドルストップ時でも冷却水がヒータコア５を流れるようにして、ヒータコア５の低温化が促進されるのを抑制して、アイドルストップ時での暖房時間を長く確保できるようにしてある。
【００２１】
ここで、コンプレッサ２０を駆動することは、エンジンＥにとって大きな負荷となる。このため、コンプレッサ２０を駆動している状態から、電磁クラッチ３０をオフ（切断）してコンプレッサ２０の駆動を停止させた際に、エンジントルクが一時的に上昇するトルクショックを生じやすいものとなる。以下、このトルクショックを防止するための本発明の制御例について、図２以下を参照しつつ説明する。
【００２２】
まず、図２は、本発明の制御系統例をブロック図的に示すものである。この図２において、図１に示すリレースイッチ３１を制御するエンジン側コントローラとなるＰＣＭ（図１をも参照）には、空調用コントローラＵＫからのエアコンオフ要求の信号が入力されるようになっている。すなわち、空調用コントローラＵＫは、エバポレータ４の温度が所定温度（例えば２〜３℃）以下になったとき、あるいは冷房や除湿を必要としないときに、エアコンオフ信号をＰＣＭに出力し、これに応じてＰＣＭが電磁クラッチ３０をオフ（リレースイッチ３１をオフ）するようになっている。
【００２３】
電磁クラッチ３０をオフした際のトルクショック防止のために、ＰＣＭには、前記冷媒圧センサ２７からの信号の他、回転数センサ３３（図１をも参照）からの信号が入力される。回転数センサ３３は、コンプレッサ２０の回転数を検出するものである。なお、エンジンＥの回転数とコンプレッサ２０の回転数とは一定の比例関係にあるので、実施形態では、回転数センサ３３としてエンジン回転数センサを利用するようにしてあるが、コンプレッサ回転数検出用の回転数センサを別途専用に設けてもよい。
【００２４】
後述するトルクショック防止の制御のために、ＰＣＭは、前記リレースイッチ３１（電磁クラッチ３０）を制御する他、点火プラグ６０（の点火時期）の制御と、スロットル弁６１（充填量つまり吸入空気量）の制御とを行うようになっている。
【００２５】
ここで、コンプレッサ２０は、電磁クラッチ３０（リレースイッチ３１）に対するオフ信号の出力から実際にオフされるまで（駆動負荷低減まで）に応答遅れ時間を有する。この応答遅れ時間は、主としてコンプレッサ回転数に応じたものとなり、副次的に冷媒圧にも応じたものとなる。すなわち、コンプレッサ２０（電磁クラッチ３０）の回転数に応じた応答遅れ時間は、その回転系の慣性力に起因したものとなる。また、電磁クラッチ３０は、ねじり力によって駆動力を伝達することになるが、冷媒圧が大きくなるとこのねじり力が大きくなって、実際に切断されるまでに応答遅れを生じることになる。
【００２６】
図３に、コンプレッサの回転数と応答遅れ時間との関係を示してあり、コンプレッサ３０の回転数が高いほど応答遅れ時間が大きく（長く）なる。また、図４に、冷媒圧と応答遅れ時間との関係を示してあり、冷媒圧が高いほど応答遅れ時間が大きく（長く）なる。なお、図３、図４に示す特性は、あらかじめ実験により求めてある。
【００２７】
なお、図３、図４に示す特性に基づいて最終的に応答遅れ時間を決定する際には、両方の応答遅れ時間の加算値を用いてもよく、あるいは所定の重み付け（コンプレッサ回転数に基づく応答遅れ時間の反映度合いが大きくなるような重み付け）を行った後の加算値を用いるようにしてもよい。この他、図３の特性を、冷媒圧毎に設定して、冷媒圧に応じて選択されるコンプレッサ回転数に応じて、応答遅れ時間を決定する等、適宜の手法でなし得る。
【００２８】
本実施形態では、応答遅れ時間を図３、図４に示す特性図に基づいて決定して、電磁クラッチ３０へのオフ信号出力時点から、この決定された応答遅れ時間が経過した時点で、点火時期を遅角させるようにしてある。すなわち、点火時期の変更は極めてすみやかに行なうことが可能であることから、電磁クラッチ３０のオフに伴う一時的なエンジントルクの上昇を、点火時期を遅角させることにより防止（あるいは低減）するようにしてある。
【００２９】
図５は、本発明の第１の制御例を示すタイムチャートである。この図５において、ｔ１時点において、空調用コントローラＵＫからＰＣＭに対して、エアコンオフ要求があったときである。このｔ１時点で、ＰＣＭは、電磁クラッチ３０のオフ信号を出力する（リレースイッチ３１をオフする信号の出力）。ｔ１時点後、図３、図４に示す特性に基づいて決定された応答遅れ時間が経過した時点となるｔ２時点で、実際にコンプレッサ３０がオフされ、これに同期して点火時期が基準値（ベース値で、図５中ａ１で示す）から遅角される（エンジン発生トルクの低下）。この点火時期の遅角により、コンプレッサ２０が停止されることによる一時的なエンジントルクの上昇が防止されて、トルクショックが防止されることになる。勿論、点火時期の遅角量は、コンプレッサ２０の駆動停止による負荷低減分に相当したものとされる。
【００３０】
ｔ２時点以後は、点火時期が徐々に進角され、この点火時期の進角に伴うエンジントルクの増大を抑制すべく、充填量が徐々に減少される。そして、ｔ３時点で、点火時期が基準値（エンジン発生トルクがｔ１時点とは相違するため、ｔ１時点での基準値ａ１とは相違）となり、充填量もこれに応じたものとなる。なお、充填量の変更に応じて燃料噴射量も変更されることになる。
【００３１】
図６は、図５に示すような制御を行うためのフローチャートである。以下この図６について説明するが、以下の説明でＱはステップを示す。まず、Ｑ１において、空調用コントローラＵＫからのエアコンオフ要求があるか否かが判別される。このＱ１の判別でＮＯのときは、Ｑ１の判別が繰り返されることになる。また、Ｑ１の判別でＹＥＳのときは、Ｑ２において、電磁クラッチ３０をオフする信号が出力される（図５のｔ１時点対応）。この後、Ｑ３において、応答遅れ時間が、前述のようにコンプレッサ回転数と冷媒圧とに基づいて決定される。
【００３２】
Ｑ３の後、Ｑ４において、Ｑ２でのオフ指令信号の出力時点から、Ｑ３で決定された応答遅れ時間が経過したか否かが判別される。このＱ４判別でＮＯのときは、Ｑ４の判別が繰り返される。Ｑ４の判別でＹＥＳのときは、Ｑ５において、点火時期が所定量遅角される（図５のｔ２時点対応）。なお、点火時期の遅角量は、例えばあらかじめコンプレッサ回転数と冷媒圧とに基づいてコンプレッサ２０の駆動トルクを決定して、この決定された駆動トルク分だけエンジンＥの発生トルクが減少するように設定される。
【００３３】
Ｑ５の後、Ｑ６において、スロットル弁６１を徐々に閉弁して充填量を減少させつつ、点火時期が徐々に進角される。この後、Ｑ７において、点火時期が基準値にまで進角されたか否かが判別される。このＱ７の判別でＮＯのときは、Ｑ７の判別が繰り返される。Ｑ７の判別でＹＥＳのときは、図５のｔ３時点となった状態であり、これによりトルクショック防止の制御が終了される。
【００３４】
図７は、トルクショック防止のための本発明の第２の制御例を示すタイムチャートであり、図５に対応している。本制御例では、ｔ１１時点において、エアコンのオフ要求がされた時点となる。このｔ１１時点以後は、後の点火時期の遅角に合わせるべく、充填量が徐々に減少される一方、点火時期が基準値ａ１から徐々に進角される。ｔ１２時点になると、電磁クラッチ３０のオフ信号が出力されると共に、点火時期のそれ以上の進角が中止され、かつ充填量のそれ以上の低減が中止される（ｔ１２時点での点火時期が維持されると共に、充填量が維持される）。ｔ１２時点での点火時期とｔ１１時点での点火時期との差分は、コンプレッサ２０の駆動に必要なトルク分に相当するものとされる。
【００３５】
この後、ｔ１２時点から応答遅れ時間が経過した時点となるｔ１３時点において点火時期が遅角され（エンジンＥの発生トルク低下）、これによりコンプレッサ２０の駆動停止に伴うトルクショックが防止される。以上のような図７の制御例では、点火時期を基準値ａ１から遅角させる必要がないことから、図５の制御例に比して、燃費向上の上で好ましいものとなる。
【００３６】
図８は、図７の制御を行うためのフローチャートであり、以下図８について説明する。まず、Ｑ１１において、空調用コントローラＵＫからのエアコンオフ要求があるか否かが判別される。このＱ１１の判別でＮＯのときは、Ｑ１１の判別が繰り返されることになる。また、Ｑ１１の判別でＹＥＳのときは、Ｑ１２において、パニックブレーキ時であるか否かが判別される。すなわち、例えば、ＡＢＳ制御装置が作動されたとき、エンジン回転数が急激に減少したとき（エンジン回転数の減少方向の変化率が所定値以上のとき）、車速が急激に減少したとき（車速の減少方向の変化率が所定値以上のとき）、さらにはロックアップクラッチ付の自動変速機において、ロックアップクラッチがオン（接続）されている状態でブレーキ圧が所定値以上となる大きいとき、のいずれか１つの条件が満足されたときに、パニックブレーキ時であると判定される。
【００３７】
上記Ｑ１２の判別でＮＯのときは、Ｑ１３〜Ｑ１８の処理によって、図７に示すような制御が実行される．すなわち、Ｑ１３において、スロットル弁６１を徐々に閉弁方向へ駆動しつつ、点火時期を徐々に進角させる（図７のｔ１１時点からｔ１２時点までの制御に対応）。この後、Ｑ１４において、目標点火時期まで進角されたか否かが判別される。このＱ１４の判別でＮＯのときは、Ｑ１３へ戻る。
【００３８】
上記Ｑ１４の判別でＹＥＳのときは、Ｑ１５において、電磁クラッチ３０をオフする信号が出力される。この後、Ｑ１６において、応答遅れ時間が決定される。この後、Ｑ１７において、Ｑ１５での電磁クラッチ３０のオフ指令時点から、Ｑ１５で設定される応答遅れ時間が経過したか否かが判別される。このＱ１７の判別でＮＯのときは、Ｑ１７の判別が繰り返される。Ｑ１７の判別でＹＥＳのときは、Ｑ１８において、点火時期が所定量遅角される（トルクショック防止）。
【００３９】
前記Ｑ１２の判別でＹＥＳのときは、パニックブレーキに伴うエンジン回転数の急激な低下により、大きな負荷となるコンプレッサ２０を駆動したままではエンストの可能性が高いときとなる。このときは、Ｑ１９において、ただちに電磁クラッチ３０をオフする指令信号が出力される。この後、Ｑ２０において応答遅れ時間が決定される。Ｑ２０の後、Ｑ２１において、Ｑ１９でのオフ指令信号出力から応答遅れ時間が経過したか否かが判別される。このＱ２１の判別でＮＯのときは、Ｑ２１の判別が繰り返される。Ｑ２１の判別でＹＥＳのときは、Ｑ２２において、点火時期が所定量遅角される。上記Ｑ１９〜Ｑ２２の処理は、図６におけるＱ２〜Ｑ５の処理に対応している。
【００４０】
以上実施形態について説明したが、本発明は、実施形態に限定されるものではなく、特許請求の範囲の記載された範囲において適宜の変更が可能である。勿論、本発明の目的は、明記されたものに限らず、実質的に好ましいあるいは利点として表現されたものを提供することをも暗黙的に含むものである。
【産業上の利用可能性】
【００４１】
本発明は、エンジンにより電磁クラッチを介して空調用のコンプレッサを駆動するものにおいて、トルクショックを防止する上で好ましいものとなる。
【符号の説明】
【００４２】
ＰＣＭ：コントローラ（トルクショック防止用）
ＵＫ：コントローラ（空調装置用）
Ｅ：エンジン
Ｋ：空調システム
４：エバポレータ
２７：圧力センサ（冷媒圧）
２０：コンプレッサ
３０：電磁クラッチ
３１：リレースイッチ
３３：回転数センサ（コンプレッサ）
６０：点火プラグ（点火時期調整）
６１：スロットル弁（充填量調整）
【図１】
0006269382.tif 000002
【図２】
0006269382.tif 000003
【図３】
0006269382.tif 000004
【図４】
0006269382.tif 000005
【図５】
0006269382.tif 000006
【図６】
0006269382.tif 000007
【図７】
0006269382.tif 000008
【図８】
0006269382.tif 000009